【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
架橋されたマルチポリマーを有するコーティングを含んでなる製品であって、該架橋されたマルチポリマーが：
多官能価アクリルアミド、多官能価メタクリルアミドおよびジアクロイルピペラジンからなる群から選択される少なくとも１つの多官能価モノマー；および
アクリルアミド、メタクリルアミドおよびＮ−ビニルピロリドンから成る群から選択される少なくとも２つの単官能価モノマー、
を含んでなる上記製品。
【請求項２】
上記コーティングが生体分子抵抗性である、請求項１に記載の製品。
【請求項３】
上記コーティングが熱安定性である請求項１に記載の製品。
【請求項４】
上記コーティングが苛性アルカリ抵抗性である請求項１に記載の製品。
【請求項５】
上記コーティングが清浄なコーティングである請求項１に記載の製品。
【請求項６】
上記コーティングがポリマーコーティングである請求項１に記載の製品。
【請求項７】
上記コーティングがヒドロゲルである請求項１に記載の製品。
【請求項８】
上記架橋されたマルチポリマーがアクリルアミドである少なくとも１つの単官能価モノマーを含んでなり、該アクリルアミドのアクリルアミド窒素が少なくとも１つのｇｅｍジアルキルで置換された炭素で置換されている請求項１−７に記載の製品。
【請求項９】
上記の架橋されたマルチポリマーがジメチルアクリルアミド、ジアセトン アクリルアミドおよびメチレン−ビス−アクリルアミドから形成されるコポリマーである請求項１−７に記載の製品。
【請求項１０】
上記の架橋されたマルチポリマーがメチレン−ビス−アクリルアミド、Ｎ−ビニルピロリドン、およびジメチルアクリルアミドまたはジアセトン  アクリルアミドのいずれかから形成されるコポリマーである請求項１−７に記載の製品。
【請求項１１】
上記のコーティングが表面コーティングとは別に形成され；該表面コーティングが架橋されたマルチポリマーを含んでなり；該架橋されたマルチポリマーが：
多官能価アクリルアミドモノマー、多官能価メタクリルアミドモノマーおよびジアクロイルピペラジンからなる群から選択される少なくとも１つの多官能価モノマー；および
Ｎ−ビニルピロリドンモノマーおよび式：
【化１】
2005508398.tif 000001
式中、
Ｒ１はＨまたはＣＨ３であり、
Ｒ２はＨまたは直鎖状または分枝状のいずれかのＣ１−Ｃ６であり、
Ｒ３はＨまたは直鎖状または分枝状のいずれかのＣ１−Ｃ６、またはＣ（ＣＨ３）２ＣＨ２Ｃ（＝Ｏ）ＣＨ３または（Ｐ＝Ｏ）（（ＮＣＨ３）２）２、またはＣ＝ＯＮ（ＣＨ３）２、またはＣＨ２−Ｏ−Ｒ４であり、ここでＲ４は直鎖状または分枝状のいずれかのＣ１−Ｃ５アルキル、または（ＣＨ２−ＣＨ２−Ｏｎ−Ｒ５であり、ここでＲ５は−Ｈまたは−ＣＨ３であり、そしてｎは２または３であるが；
ただしＲ２およびＲ３は同時にＨとはならない、
を有するモノマーの群から選択される少なくとも２つの異なる単官能価モノマー
を含んでなる請求項１−１０に記載の製品。
【請求項１２】
上記の単官能価モノマーの２つが約１〜約５の重量比で存在する請求項１１に記載の製品。
【請求項１３】
上記の単官能価モノマーの総量が約０．５％〜約２０重量％で存在する請求項１１に記載の製品。
【請求項１４】
多官能価架橋モノマーに対する単官能価コモノマーの総量の重量比が約１〜約１０である請求項１１に記載の製品。
【請求項１５】
上記ポリマーコーティングが親水性である請求項１−１４に記載の製品。
【請求項１６】
上記の製品が多孔質であり、そして上記ポリマーコーティングがＩｇＧ結合試験で測定して、平方センチメートルあたり約３０マイクログラム未満の生体分子の結合を有する請求項１−１５に記載の製品。
【請求項１７】
上記の製品が非孔質であり、そして上記ポリマーコーティングがＩｇＧ結合試験で測定して、平方センチメートルあたり約０．３０マイクログラム未満の生体分子の結合を有する請求項１−１５に記載の製品。
【請求項１８】
上記の製品が非孔質であり、そして上記ポリマーコーティングがＢＳＡ−ポンソー試験で陰性である請求項１−１７に記載の製品。
【請求項１９】
上記製品が多孔質であり、そして上記ポリマーコーティングがＴＯＣ抽出分試験で測定した時、１平方センチメートルのコーティングあたり約１マイクログラム未満の抽出物のＴＯＣ抽出分を有する請求項１−１８に記載の製品。
【請求項２０】
上記ポリマーコーティングが、流れ時間測定試験で測定した時、約１．３未満の苛性アルカリ抵抗性を有する請求項１−１９に記載の製品。
【請求項２１】
上記製品が実験器具、医療用具、飲料流体の容器または導管、海洋用品または配管用品である請求項１−２０に記載の製品。
【請求項２２】
生体分子抵抗性表面コーティングを有する製品の調製法であって；
（ａ）表面を有する製品を提供し；
（ｂ）場合により該製品の該表面を湿潤液体と接触させてそれらの該表面を湿潤させ；
（ｃ）場合により該湿潤液体を第２の湿潤液体に置き換え、該製品を該第２液体で湿潤させておき；
（ｄ）該製品の表面を：
（１）アクリルアミド、メタクリルアミドおよびＮ−ビニルピロリドンから成る群から選択される少なくとも２つの単官能価モノマー；および
（２）多官能価アクリルアミド、多官能価メタクリルアミドおよびジアクロイル  ピペラジンからなる群から選択される少なくとも１つの多官能価モノマー
を含む溶液と接触させ；該溶液は場合によりさらに１以上の重合開始剤を含んでなり；そして
（ｅ）該モノマーを重合して該熱安定性の生体分子抵抗性表面を形成する、
工程を含んでなる上記調製法。
【請求項２３】
上記架橋されたマルチポリマーがアクリルアミドである少なくとも１つの単官能化モノマーを含んでなり、該アクリルアミドのアクリルアミド窒素が少なくとも１つのｇｅｍジアルキルで置換された炭素で置換されている請求項２２に記載の方法。
【請求項２４】
上記の架橋されたマルチポリマーがジメチルアクリルアミド、ジアセトン アクリルアミドおよびメチレン−ビス−アクリルアミドから形成されている、請求項２２に記載の方法。
【請求項２５】
上記の架橋されたマルチポリマーがメチレン−ビス−アクリルアミド、Ｎ−ビニルピロリドン、およびジメチルアクリルアミドまたはジアセトン  アクリルアミドのいずれかから形成されているコポリマーである請求項２２に記載の方法。
【請求項２６】
上記の熱安定性の生体分子抵抗性ポリマーコーティングが表面コーティングとは別に形成され；該表面コーティングが架橋されたマルチポリマーを含んでなり；該架橋されたマルチポリマーが：
多官能価アクリルアミドモノマー、多官能価メタクリルアミドモノマーおよびジアクロイルピペラジンからなる群から選択される少なくとも１つの多官能価モノマー；および
Ｎ−ビニルピロリドンモノマーおよび式：
【化３】
2005508398.tif 000002
式中、
Ｒ１は−ＨまたはＣＨ３であり、
Ｒ２はＨまたは直鎖状または分枝状のいずれかのＣ１−Ｃ６であり、
Ｒ３はＨまたは直鎖状または分枝状のいずれかのＣ１−Ｃ６、またはＣ（ＣＨ３）２ＣＨ２Ｃ（＝Ｏ）ＣＨ３または（Ｐ＝Ｏ）（（ＮＣＨ３）２）２、またはＣ＝ＯＮ（ＣＨ３）２、またはＣＨ２−Ｏ−Ｒ４であり、ここでＲ４は直鎖状または分枝状のいずれかのＣ１−Ｃ５アルキル、または（ＣＨ２−ＣＨ２−Ｏ）ｎ−Ｒ５であり、ここでＲ５は−Ｈまたは−ＣＨ３であり、そしてｎは２または３であるが；
ただしＲ２およびＲ３は同時にＨではない、
を有するモノマーの群から選択される少なくとも２つの異なる単官能価モノマー、
を含んでなる請求項２２に記載の方法。
【請求項２７】
上記の単官能価モノマーの２つが約１〜約５の重量比で存在する請求項２６に記載の方法。
【請求項２８】
多官能価架橋モノマーに対する単官能価コモノマーの総量の重量比が約１〜約１０である請求項２６に記載の方法。
【請求項２９】
上記ポリマーコーティングが親水性である請求項２６−２８に記載の方法。
【請求項３０】
製品の少なくとも１つの表面をコーティングする工程を含んでなる該製品の生物学的適合性を上げる方法であって、該コーティングが架橋されたマルチポリマーを含んでなり、該架橋されたマルチポリマーが：
多官能価アクリルアミド、多官能価メタクリルアミドおよびジアクロイルピペラジンからなる群から選択される少なくとも１つの多官能価モノマー；および
アクリルアミド、メタクリルアミドおよびＮ−ビニルピロリドンから成る群から選択される少なくとも２つの単官能価モノマー、
を含んでなる上記方法。